(57)【要約】【課題】ドッキング救出運転を行う場合に救出エレベーターのかご内から被救出エレベーターのかご内の状況を容易に把握することができ、効率的に救出作業を行うことが可能なエレベーターの救出運転時モニタ表示制御装置を得る。【解決手段】エレベーターの救出運転時モニタ表示制御装置において、エレベーターの昇降路内に昇降自在に設けられた被救出エレベーターのかごと、昇降路内に昇降自在に設けられ、被救出エレベーターのかごと隣接して配設された救出エレベーターのかごと、被救出エレベーターのかご内に設けられ、被救出エレベーターのかご内を撮影する第１のカメラと、救出エレベーターのかご内に設けられ、各種情報を表示する第１のモニタと、ドッキング救出運転時に、第１のモニタに第１のカメラが撮影した映像を表示する救出時運転時モニタ切替装置本体と、を備える。【選択図】図１
2009298551.tif 000002
【特許請求の範囲】
【請求項１】
エレベーターの昇降路内に昇降自在に設けられた被救出エレベーターのかごと、
前記昇降路内に昇降自在に設けられ、前記被救出エレベーターの前記かごと隣接して配設された救出エレベーターのかごと、
前記被救出エレベーターの前記かご内に設けられ、前記被救出エレベーターの前記かご内を撮影する第１のカメラと、
前記救出エレベーターの前記かご内に設けられ、各種情報を表示する第１のモニタと、
ドッキング救出運転時に、前記第１のモニタに前記第１のカメラが撮影した映像を表示する救出時運転時モニタ切替装置本体と、を備えたことを特徴とするエレベーターの救出運転時モニタ表示制御装置。
【請求項２】
前記救出エレベーターの前記かご内に設けられたかご側切替スイッチを備え、
前記救出時運転時モニタ切替装置本体は、前記かご側切替スイッチの操作により、前記第１のモニタに前記第１のカメラが撮影した映像を表示することを特徴とする請求項１に記載のエレベーターの救出運転時モニタ表示制御装置。
【請求項３】
エレベーターの監視室内に設けられ、前記救出時運転時モニタ切替装置本体からの出力を受けて各種情報を表示する監視装置と、
前記監視装置に設けられた前記監視装置側切替スイッチと、を備え、
前記救出時運転時モニタ切替装置本体は、前記監視装置側切替スイッチの操作により、前記監視装置に前記第１のカメラが撮影した映像を表示することを特徴とする請求項２に記載のエレベーターの救出運転時モニタ表示制御装置。
【請求項４】
前記被救出エレベーターの前記かご内に設けられ、各種情報を表示する第２のモニタを備え、
救出時運転時モニタ切替装置本体は、ドッキング救出運転時に、前記第２のモニタに前記救出エレベーターに関する情報を表示することを特徴とする請求項１から請求項３のいずれかに記載のエレベーターの救出運転時モニタ表示制御装置。
【請求項５】
前記救出エレベーターの前記かご内に設けられ、前記救出エレベーターの前記かご内を撮影する第２のカメラを備え、
救出時運転時モニタ切替装置本体は、ドッキング救出運転時に、前記第２のモニタに前記第２のカメラが撮影した映像を表示することを特徴とする請求項４に記載のエレベーターの救出運転時モニタ表示制御装置。
【発明の詳細な説明】
【技術分野】
【０００１】
この発明は、エレベーターの救出運転時モニタ表示制御装置に関するものである。
【背景技術】
【０００２】
昇降路内に複数のエレベーターかごが配置されているエレベーターにおいて、あるエレベーターに故障が発生したとき、当該故障が発生したエレベーター（被救出エレベーター）のかご内に閉じ込められた乗客を救出するために、被救出エレベーターに隣接するエレベーター（救出エレベーター）のかごに救出作業員が乗り込み、救出エレベーターのかごを高速自動走行させ、被救出エレベーターのかごの側方で停止させて横付けして、かごの側面に設けられた救出口を通じて被救出エレベーターのかご内に閉じ込められた乗客を救出する、いわゆるドッキング救出運転がある。
【０００３】
従来においては、このドッキング救出運転時に救出エレベーターのかご内で被救出エレベーターのかご位置を認識することができるものとして、同一昇降路内横隣りの被救出エレベーターのパルスカウント装置から入力した前記被救出エレベーターのかご位置データから階床データに変換する被救出エレベーター階床演算装置と、前記階床データを救出エレベーターのかご内に表示するインジケーター等のかご内表示装置とを備えたものが知られている（例えば、特許文献１参照）。
【０００４】
また、従来のエレベーターにおいては、図４に示すように、エレベーターのかご１内に設けられ、このかご１内を撮影して映像データ７をモニタ表示装置本体１９へと出力するカメラ２と、同じく前記かご１内に設けられ、図示しない呼び登録ボタンや戸開・戸閉ボタン等を備えたかご内操作盤３と、前記かご内操作盤３に設けられ、各種情報を表示するモニタ４と、このモニタ４の表示内容を制御するモニタ表示装置本体１９と、各エレベーターの運行制御及び群管理制御を行う群管理制御盤５と、当該エレベーターが設置された建物内にて当該エレベーターの状況監視を行う監視装置１１（監視室）と、を備え、前記モニタ表示装置本体１９は、当該モニタ４が設置された前記かご１内の前記カメラが撮影した前記映像データ７、図示しない外部装置から前記モニタ表示装置本体１９へと入力される外部データ８（ニュース情報や当該エレベーターが設置された建物に関する情報等）、及び、当該モニタ４が設置されたエレベーター自身に係るかご位置（階床）やかご速度等のエレベーターデータ９、のうちから選択し、組み合わせた表示データ１０を前記モニタ４へと出力するように構成したものが知られている。
【０００５】
【特許文献１】特開平０９−２２７０４８号公報
【発明の開示】
【発明が解決しようとする課題】
【０００６】
しかしながら、特許文献１に示された従来におけるエレベーターの救出運転時モニタ表示制御装置においては、ドッキング救出運転を行う場合に、救出エレベーターのかご内からは被救出エレベーターのかご内の状況を把握することが難しく、救出作業員は被救出エレベーターのかご内の状況を十分に把握し得ないまま、まずは救出に向かい、救出エレベーターを被救出エレベーターに横付けしなければならない。
そして、その後に被救出エレベーターのかご内の状況を把握してから救出作業に取り掛かるので、非効率的であり救出作業に長時間を要することとなる。このため、被救出エレベーターのかご内に閉じ込められた乗客に不安を与えるおそれがあるという課題のみならず、当該エレベーター利用者の信用を損ない、場合によっては社会的信用の低下につながるおそれがあるという課題がある。
【０００７】
また、上下２つのかごを備えたダブルデッキエレベーターにおいては、救出エレベーターの上下かごのうちいずれか一方のみのかごを使用してこれに救出作業員が乗り込んで救出を行う場合、救出エレベーターのかご内から被救出エレベーターのかご内の状況を把握することができないために、被救出エレベーターの上下２つのかご内にいる乗客の全てを、救出エレベーターの１つのかご内に収容することが可能であるのかを判断することができないという課題がある。これは、被救出エレベーターがダブルデッキであり救出エレベーターがシングルデッキである場合も同様である。
そして、ダブルデッキである救出エレベーターの上下２つのかごにそれぞれ救出作業員が乗り込む場合に、被救出エレベーターの上下かごのうちいずれか一方のかごにのみ乗客がおり他方のかごには乗客がいない際には、２人の救出作業員のうち１人が無駄となるため非効率的であるという課題がある。
【０００８】
この発明は、前述のような課題を解決するためになされたもので、ドッキング救出運転を行う場合に救出エレベーターのかご内から被救出エレベーターのかご内の状況を容易に把握することができ、効率的に救出作業を行うことが可能なエレベーターの救出運転時モニタ表示制御装置を得るものである。
【課題を解決するための手段】
【０００９】
この発明に係るエレベーターの救出運転時モニタ表示制御装置においては、エレベーターの昇降路内に昇降自在に設けられた被救出エレベーターのかごと、前記昇降路内に昇降自在に設けられ、前記被救出エレベーターの前記かごと隣接して配設された救出エレベーターのかごと、前記被救出エレベーターの前記かご内に設けられ、前記被救出エレベーターの前記かご内を撮影する第１のカメラと、前記救出エレベーターの前記かご内に設けられ、各種情報を表示する第１のモニタと、ドッキング救出運転時に、前記第１のモニタに前記第１のカメラが撮影した映像を表示する救出時運転時モニタ切替装置本体と、を備えた構成とする。
【発明の効果】
【００１０】
この発明はエレベーターの救出運転時モニタ表示制御装置において、エレベーターの昇降路内に昇降自在に設けられた被救出エレベーターのかごと、前記昇降路内に昇降自在に設けられ、前記被救出エレベーターの前記かごと隣接して配設された救出エレベーターのかごと、前記被救出エレベーターの前記かご内に設けられ、前記被救出エレベーターの前記かご内を撮影する第１のカメラと、前記救出エレベーターの前記かご内に設けられ、各種情報を表示する第１のモニタと、ドッキング救出運転時に、前記第１のモニタに前記第１のカメラが撮影した映像を表示する救出時運転時モニタ切替装置本体と、を備えた構成としたことで、ドッキング救出運転を行う場合に救出エレベーターのかご内から被救出エレベーターのかご内の状況を容易に把握することができ、効率的に救出作業を行うことが可能であるという効果を奏する。
【発明を実施するための最良の形態】
【００１１】
実施の形態１．
図１は、この発明の実施の形態１及び実施の形態２に関するもので、エレベーターの救出運転時モニタ表示切替装置の全体構成を示すブロック図である。また、図２は、この発明の実施の形態１に関するもので、救出運転時モニタ表示切替装置本体の動作を示すフロー図である。
図において１は図示しないエレベーターの昇降路内に昇降自在に設けられたかごである。
このかご１内には、このかご１内を撮影するカメラ２、及び、押下することによりかご呼び登録を行う呼び登録ボタン（図示せず）や押下することにより前記かご１前面に設けられた図示しないかご戸の戸開閉を行う戸開・戸閉ボタン（図示せず）等を備えたかご内操作盤３が設けられており、かご内操作盤３には各種情報を表示するモニタ４が設けられている。
前記昇降路内には複数の前記かご１が隣接して配設され、すなわち、複数台のエレベーターが設置されており、これら複数台のエレベーターは群管理制御盤５によりグループ（バンク）として利用状況に応じて効率的に運転制御（群管理）される。
【００１２】
前記カメラ２により撮影された前記かご１内の映像は、映像データ７として救出時運転時モニタ切替装置本体６へと出力される。この救出時運転時モニタ切替装置本体６には、前記映像データ７の他、図示しない外部装置から出力される外部データ８や前記群管理制御盤５から出力されるエレベーターデータ９が入力される。
前記外部データ８には当該エレベーターが設置されている建物に関する情報（入居している店舗に関する情報や当該建物がショッピングセンターである場合のショッピング情報等）やニュース情報等が含まれている。また、前記エレベーターデータ９には、自身のエレベーターにおける前記かご１の現在位置（階床）、運転方向、運転速度等の情報が含まれている。
そして、前記救出時運転時モニタ切替装置本体６は、前記かご１の前記モニタ４へと表示データ１０を出力し、この表示データ１０の入力を受けた前記モニタ４は、これに基づいて各種情報を表示する。
通常時においては、前記救出時運転時モニタ切替装置本体６は、前記映像データ７、前記外部データ８及び前記エレベーターデータ９のうちから適切なものを選択して前記表示データ１０として、前記モニタ４へと出力している。例えば、前記映像データ７、前記外部データ８及び前記エレベーターデータ９を一定時間毎に順次切替することを繰り返すといったごとくである。
また、設置されるエレベーターの台数が比較的多い建物においては、監視員がエレベーターの状況を確認するための監視室が設けられることがある。この場合、この監視室には、前記救出時運転時モニタ切替装置本体６から出力される前記表示データ１０の入力を受けて各種情報を表示する監視装置１１が設置され、監視員はこの監視装置１１を用いて前記かご１内の状況等の監視を行う。
【００１３】
また、隣接するエレベーター同士の間では、それぞれの前記映像データ７及び前記エレベーターデータ９が相互に伝送可能に構成されている。
より具体的には、一方のエレベーターの前記かご１内に設けられた前記カメラ２の撮影した前記映像データ７が、一方のエレベーターの前記救出時運転時モニタ切替装置本体６から隣接映像データ１２として他方のエレベーターの前記救出時運転時モニタ切替装置本体６へと伝送され、また、他方のエレベーターの前記かご１内に設けられた前記カメラ２の撮影した前記映像データ７が、他方のエレベーターの前記救出時運転時モニタ切替装置本体６から前記隣接映像データ１２として一方のエレベーターの前記救出時運転時モニタ切替装置本体６へと伝送される。
そして、一方のエレベーターの前記エレベーターデータ９が、一方のエレベーターの前記救出時運転時モニタ切替装置本体６から前記隣接エレベーターデータ１３として他方のエレベーターの前記救出時運転時モニタ切替装置本体６へと直接伝送され、又は、前記群管理制御盤５を経由して伝送され、また、他方のエレベーターの前記エレベーターデータ９が、他方のエレベーターの前記救出時運転時モニタ切替装置本体６から前記隣接エレベーターデータ１３として一方のエレベーターの前記救出時運転時モニタ切替装置本体６へと直接伝送され、又は、前記群管理制御盤５を経由して伝送される。
【００１４】
前記かご１の前記かご内操作盤３には、ＯＮ／ＯＦＦを切り替えることにより前記救出時運転時モニタ切替装置本体６から前記モニタ４へと出力される前記表示データ１０の内容を切り替えることができるかご側切替スイッチ１４が設けられており、このかご側切替スイッチ１４のＯＮ／ＯＦＦ切替を行うと前記救出時運転時モニタ切替装置本体６へと切替信号１５が出力され、この切替信号１５を受けた前記救出時運転時モニタ切替装置本体６は前記モニタ４へと出力される前記表示データ１０の内容が前記映像データ７、前記外部データ８及び前記エレベーターデータ９から構成されるものと、これらに加えて前記隣接映像データ１２及び前記隣接エレベーターデータ１３も含めて構成されるものとの間で、切り替えがなされる。
【００１５】
複数のエレベーターのうち、あるエレベーターに故障が発生したとき、当該故障が発生したエレベーター（被救出エレベーター１６）の前記かご１内に閉じ込められた乗客を救出するために、被救出エレベーター１６に隣接するエレベーター（救出エレベーター１７）の前記かご１に救出作業員が乗り込みドッキング救出運転が行われる。
図２は、この実施の形態における前記救出時運転時モニタ切替装置本体６のドッキング救出運転時動作を示すフロー図である。
まず、ステップＳ１において前記救出エレベーター１７の前記救出時運転時モニタ切替装置本体６は、前記救出エレベーター１７の前記かご内操作盤３に設置された前記かご側切替スイッチ１４の状態を確認する。
この確認において、前記救出エレベーター１７の前記かご側切替スイッチ１４の状態がＯＦＦであることが確認された場合には、ステップＳ２へと移行して、前記救出エレベーター１７の前記救出時運転時モニタ切替装置本体６は、前記救出エレベーター１７の前記かご内操作盤３に設置された前記モニタ４へと、通常の前記表示データ１０、すなわち、前記救出エレベーター１７に係る前記映像データ７、前記外部データ８及び前記エレベーターデータ９のうちから選択して構成した前記表示データ１０、を出力する。この場合の前記表示データ１０の具体的な態様としては、例えば前述のように、前記映像データ７、前記外部データ８及び前記エレベーターデータ９を一定時間毎に順次切替することを繰り返すといった態様が考えられる。
そして、このような前記表示データ１０に基づいて、前記救出エレベーター１７の前記モニタ４には、前記救出エレベーター１７自身に係る前記かご１内の映像や前記かご１の現在位置（階床）、運転方向、運転速度等の情報が表示される。なお、その後はステップＳ３へと至り、一連の動作フローを終了する。
【００１６】
一方、ステップＳ１の確認において、前記救出エレベーター１７の前記かご側切替スイッチ１４の状態がＯＮであることが確認された場合には、ステップＳ４へと移行して、前記救出エレベーター１７の前記救出時運転時モニタ切替装置本体６は、前記救出エレベーター１７の前記かご内操作盤３に設置された前記モニタ４へと、前記被救出エレベーター１６に係る前記隣接映像データ１２及び前記隣接エレベーターデータ１３を含む各種データのうちから選択して構成した前記表示データ１０を出力する。
この場合の前記表示データ１０の具体的な態様としては、例えば、前記隣接映像データ１２及び前記隣接エレベーターデータ１３を一定時間毎に順次切替することを繰り返すといったもの、前記映像データ７、前記外部データ８及び前記エレベーターデータ９、並びに、前記隣接映像データ１２及び前記隣接エレベーターデータ１３を一定時間毎に順次切替することを繰り返すといったものや、前記モニタ４の表示領域を分割し、一方の分割表示領域において、前記映像データ７、前記外部データ８及び前記エレベーターデータ９を一定時間毎に順次切替することを繰り返すとともに、他方の分割表示領域において、前記隣接映像データ１２及び前記隣接エレベーターデータ１３を一定時間毎に順次切替することを繰り返すといった態様が考えられる。
そして、このような前記表示データ１０に基づいて、前記救出エレベーター１７の前記モニタ４には、前記被救出エレベーター１６に係る前記かご１内の映像や前記かご１の現在位置（階床）、運転方向、運転速度等の情報が表示される。また、前記被救出エレベーター１６のかご位置と前記救出エレベーター１７のかご速度とから、前記救出エレベーター１７の前記かご１が前記被救出エレベーター１６の前記かご１の隣接位置まで到達するのに必要な時間を算出して前記救出エレベーター１７の前記モニタ４に表示するようにすることも可能である。なお、その後はステップＳ３へと至り、一連の動作フローを終了する。
【００１７】
以上のように構成されたエレベーターの救出運転時モニタ表示制御装置においては、ドッキング救出運転時に、救出エレベーターのかご内に設けられたモニタに被救出エレベーターに係るかご内の映像やかごの現在位置（階床）、運転方向、運転速度等の情報を表示することにより、ドッキング救出運転を行う場合に救出エレベーターのかご内から被救出エレベーターのかご内の状況を容易に把握することができ、効率的に救出作業を行うことが可能である。
【００１８】
なお、ドッキング救出運転時において、救出エレベーターのモニタに被救出エレベーターの状況が表示されている場合に、被救出エレベーターのモニタには救出エレベーターの状況を表示するようにしてもよい。
こうすることにより、被救出エレベーターのかご内の乗客は救出エレベーターの状況を知ることができるため、自身の救出状況を自ら把握することが可能であり、救出を待つ間に乗客が感じる不安を払拭する効果が期待できる。
【００１９】
実施の形態２．
図３は、この発明の実施の形態２に関するもので、救出運転時モニタ表示切替装置本体の動作を示すフロー図である。
ここで説明する実施の形態２は、前述した実施の形態１の構成に加えて、監視室の監視装置に監視装置側切替スイッチを設け、この監視装置側切替スイッチを操作することにより監視装置の表示内容を被救出エレベーターに関する情報に切り替えることができるようにしたものである。
すなわち、前記監視室の前記監視装置１１には、ＯＮ／ＯＦＦを切り替えることにより前記救出時運転時モニタ切替装置本体６から前記監視装置１１へと出力される前記表示データ１０の内容を切り替えることができる監視装置側切替スイッチ１８が設けられており、この監視装置側切替スイッチ１８のＯＮ／ＯＦＦ切替を行うと前記救出時運転時モニタ切替装置本体６へと切替信号１５が出力される。
そして、この切替信号１５を受けた前記救出時運転時モニタ切替装置本体６は前記監視装置１１へと出力される前記表示データ１０の内容が、前記映像データ７、前記外部データ８及び前記エレベーターデータ９から構成されるものと、これらに加えて前記隣接映像データ１２及び前記隣接エレベーターデータ１３も含めて構成されるものとの間で、切り替えがなされる。
なお、その他の構成は実施の形態１と同様である。
【００２０】
図３は、この実施の形態における前記救出時運転時モニタ切替装置本体６のドッキング救出運転時動作を示すフロー図である。
まず、ステップＳ１１において前記救出エレベーター１７の前記救出時運転時モニタ切替装置本体６は、前記救出エレベーター１７の前記かご内操作盤３に設置された前記かご側切替スイッチ１４の状態を確認する。
この確認において、前記救出エレベーター１７の前記かご側切替スイッチ１４の状態がＯＦＦであることが確認された場合には、ステップＳ１２へと移行して、前記救出エレベーター１７の前記救出時運転時モニタ切替装置本体６は、前記救出エレベーター１７の前記かご内操作盤３に設置された前記モニタ４へと、通常の前記表示データ１０、すなわち、前記救出エレベーター１７に係る前記映像データ７、前記外部データ８及び前記エレベーターデータ９のうちから選択して構成した前記表示データ１０、を出力する。この場合の前記表示データ１０の具体的な態様としては、例えば前述のように、前記映像データ７、前記外部データ８及び前記エレベーターデータ９を一定時間毎に順次切替することを繰り返すといった態様が考えられる。
そして、このような前記表示データ１０に基づいて、前記救出エレベーター１７の前記モニタ４には、前記救出エレベーター１７自身に係る前記かご１内の映像や前記かご１の現在位置（階床）、運転方向、運転速度等の情報が表示される。なお、その後はステップＳ１３へと至り、一連の動作フローを終了する。
【００２１】
ステップＳ１１の確認において、前記救出エレベーター１７の前記かご側切替スイッチ１４の状態がＯＮであることが確認された場合には、ステップＳ１４へと移行して、前記救出エレベーター１７の前記救出時運転時モニタ切替装置本体６は、前記監視室の前記監視装置１１に設けられた前記監視装置側切替スイッチ１８の状態を確認する。
この確認において、前記監視室の前記監視装置１１に設けられた前記監視装置側切替スイッチ１８の状態がＯＦＦであることが確認された場合には、ステップＳ１５へと移行して、前記救出エレベーター１７の前記救出時運転時モニタ切替装置本体６は、前記救出エレベーター１７の前記かご内操作盤３に設置された前記モニタ４へと、前記被救出エレベーター１６に係る前記隣接映像データ１２及び前記隣接エレベーターデータ１３を含む各種データのうちから選択して構成した前記表示データ１０を出力する。
この場合の前記表示データ１０の具体的な態様としては、実施の形態１と同様、例えば、前記隣接映像データ１２及び前記隣接エレベーターデータ１３を一定時間毎に順次切替することを繰り返すといったもの、前記映像データ７、前記外部データ８及び前記エレベーターデータ９、並びに、前記隣接映像データ１２及び前記隣接エレベーターデータ１３を一定時間毎に順次切替することを繰り返すといったものや、前記モニタ４の表示領域を分割し、一方の分割表示領域において、前記映像データ７、前記外部データ８及び前記エレベーターデータ９を一定時間毎に順次切替することを繰り返すとともに、他方の分割表示領域において、前記隣接映像データ１２及び前記隣接エレベーターデータ１３を一定時間毎に順次切替することを繰り返すといった態様が考えられる。
そして、このような前記表示データ１０に基づいて、前記救出エレベーター１７の前記モニタ４には、前記被救出エレベーター１６に係る前記かご１内の映像や前記かご１の現在位置（階床）、運転方向、運転速度等の情報が表示される。また、前記被救出エレベーター１６のかご位置と前記救出エレベーター１７のかご速度とから、前記救出エレベーター１７の前記かご１が前記被救出エレベーター１６の前記かご１の隣接位置まで到達するのに必要な時間を算出して前記救出エレベーター１７の前記モニタ４に表示するようにすることも可能である。なお、その後はステップＳ１３へと至り、一連の動作フローを終了する。
【００２２】
一方、ステップＳ１４の確認において、前記監視室の前記監視装置１１に設けられた前記監視装置側切替スイッチ１８の状態がＯＮであることが確認された場合には、ステップＳ１６へと移行して、前記救出エレベーター１７の前記救出時運転時モニタ切替装置本体６は、前記救出エレベーター１７の前記モニタ４及び前記監視室の前記監視装置１１の両方へと、前記被救出エレベーター１６に係る前記隣接映像データ１２及び前記隣接エレベーターデータ１３を含む各種データのうちから選択して構成した前記表示データ１０を出力する。
この場合の前記表示データ１０の具体的な態様としては、前述のステップＳ１５における場合と同様の態様が考えられる。
そして、このような前記表示データ１０に基づいて、前記救出エレベーター１７の前記モニタ４及び前記監視室の前記監視装置１１の両方に、前記被救出エレベーター１６に係る前記かご１内の映像や前記かご１の現在位置（階床）、運転方向、運転速度等の情報が表示される。また、前述のステップＳ１５における場合と同様にして、前記救出エレベーター１７の前記かご１が前記被救出エレベーター１６の前記かご１の隣接位置まで到達するのに必要な時間を算出してすることも可能である。なお、その後はステップＳ１３へと至り、一連の動作フローを終了する。
【００２３】
以上のように構成されたエレベーターの救出運転時モニタ表示制御装置においては、実施の形態１と同様の効果を奏することができるのに加えて、ドッキング救出運転時に監視室の監視装置に設けられた監視装置側切替スイッチを操作することにより、被救出エレベーターに係るかご内の映像やかごの現在位置（階床）、運転方向、運転速度等の情報を監視装置に表示することで、ドッキング救出運転を行う場合に監視室から被救出エレベーターのかご内の状況を容易に把握することができ、効率的に救出作業を行うことが可能である。
【００２４】
実施の形態３．
ここで説明する実施の形態３は、前述した実施の形態１又は実施の形態２の構成において、当該エレベーターがダブルデッキエレベーターである場合に、被救出エレベーターの２台の上下かごと救出エレベーターの２台の上下かごとの間で相互に映像データ及びエレベーターデータを伝送し合うように構成したものである。
すなわち、前記救出エレベーター１７の前記救出時運転時モニタ切替装置本体６には、ダブルデッキである前記被救出エレベーター１６の上下かご両方に係る前記映像データ７及び前記エレベーターデータ９が、前記隣接映像データ１２及び前記隣接エレベーターデータ１３として隣接するエレベーターの前記救出時運転時モニタ切替装置本体６へと伝送される。
【００２５】
そして、例えば、ダブルデッキである前記救出エレベーター１７の上下かごのうちいずれか１台の前記かご１に救出作業員が乗り込んで救出に向かう場合には、この救出作業員が乗り込んだ前記かご１の前記モニタ４には、前記被救出エレベーター１６の上下かご両方に係る前記かご１内の映像や前記かご１の現在位置（階床）、運転方向、運転速度等の情報を一定時間毎に順次切替しながら繰り返し表示するといったことが考えられ、また、前記救出エレベーター１７の上下かご両方にそれぞれ救出作業員が乗り込んで救出に向かう場合には、上下かご両方の前記モニタ４には、前記被救出エレベーター１６の上下かご両方に係る前記かご１内の映像や前記かご１の現在位置（階床）、運転方向、運転速度等の情報とともに、前記救出エレベーター１７の上下かご同士における互いに相手方の前記かご１内の映像を一定時間毎に順次切替しながら繰り返し表示するといったことが考えられる。
【００２６】
また、前記監視室に設置された前記監視装置１１についても同様に、ダブルデッキである前記被救出エレベーター１６の上下かご両方に係る前記かご１内の映像や前記かご１の現在位置（階床）、運転方向、運転速度等の情報を一定時間毎に順次切替しながら繰り返し表示するといったことが考えられる。
【００２７】
以上のように構成されたエレベーターの救出運転時モニタ表示制御装置においては、実施の形態１又は実施の形態２と同様の効果を奏することができるのに加えて、ダブルデッキエレベーターである場合に、被救出エレベーターの２台の上下かごと救出エレベーターの２台の上下かごとの間で相互に映像データ及びエレベーターデータを伝送し合うように構成し、ドッキング救出運転時に、救出作業員が乗り込んだ救出エレベーターのかご内に設けられたモニタに被救出エレベーターの上下かご両方に係るかご内の映像、かごの現在位置（階床）、運転方向、運転速度等の情報や、救出エレベーターの上下かご同士における互いに相手方のかご内の映像を表示することで、ドッキング救出運転を行う場合に被救出エレベーターのかご内の状況を容易に把握することができ、効率的に救出作業を行うことが可能である。
【図面の簡単な説明】
【００２８】
【図１】この発明の実施の形態１及び実施の形態２におけるエレベーターの救出運転時モニタ表示切替装置の全体構成を示すブロック図である。
【図２】この発明の実施の形態１における救出運転時モニタ表示切替装置本体の動作を示すフロー図である。
【図３】この発明の実施の形態２における救出運転時モニタ表示切替装置本体の動作を示すフロー図である。
【図４】従来におけるエレベーターのモニタ表示装置の全体構成を示すブロック図である。
【符号の説明】
【００２９】
１    かご
２    カメラ
３    かご内操作盤
４    モニタ
５    群管理制御盤
６    救出時運転時モニタ切替装置本体
７    映像データ
８    外部データ
９    エレベーターデータ
１０    表示データ
１１    監視装置
１２    隣接映像データ
１３    隣接エレベーターデータ
１４    かご側切替スイッチ
１５    切替信号
１６    被救出エレベーター
１７    救出エレベーター
１８    監視装置側切替スイッチ
１９    モニタ表示装置本体
【図１】
2009298551.tif 000003
【図２】
2009298551.tif 000004
【図３】
2009298551.tif 000005
【図４】
2009298551.tif 000006